(57)【要約】【課題】全体の美観を損なうことなく、簡単に効率良く製作することができるリボン飾りを提供する。【解決手段】リボン飾り１は、リボン体１０を、結着箇所１１で材料２の幅方向Ｗに重ね合わせた状態のまま、固定部材で束ねて固定したリボン飾りにおいて、固定部材は、線材５１と、線材５１より柔軟な可撓被覆材５２とからなる短冊状の結着部材５０であること、リボン体１０のうち、重ね合わせて束ねた状態の結着箇所１１に、結着部材５０を、当該リボン飾り１の外側ＯＵＴの位置から掛け渡した結着部材５０の端部５３Ａ，５３Ｂ同士が、当該リボン飾り１の内側ＩＮで結束され、当該リボン飾り１は、結着部材５０で結束した結着箇所１１に被覆部材２０を接着材で固着することにより、外部と遮断した状態で結着部材５０を包囲し、被覆部材２０が、当該リボン飾り１の一部をなしている。【選択図】 図１
2019044310.tif 000002
【特許請求の範囲】
【請求項１】
帯状の材料を長手方向で折り返すことにより、ループ状に閉じた１または複数のリボン体を、結着箇所で、前記材料の厚み方向、かつ前記長手方向に直交する幅方向に重ね合わせた状態のまま、固定部材により束ねて固定されたリボン飾りにおいて、
前記固定部材は、芯となる線材と、前記線材より柔軟な可撓性を有する樹脂製、またはゴム製の可撓被覆材とからなり、変形自在に形成された短冊状の結着部材であること、
前記リボン体のうち、重ね合わせて束ねた状態の前記結着箇所に、前記結着部材を、当該リボン飾りの外側となる位置から掛け渡して巻いた前記結着部材の端部同士が、当該リボン飾りの内側で結束されていること、
当該リボン飾りは、前記結着部材を被覆可能に形成された被覆部材を、前記結着部材で結束した前記結着箇所に接着剤で固着することにより、外部と遮断した状態で、前記結着部材を包囲してなり、前記被覆部材が、当該リボン飾りの一部をなしていること、
を特徴とするリボン飾り。
【請求項２】
請求項１に記載するリボン飾りにおいて、
前記結着部材は、ビニル(vinyl)基を有する樹脂フィルム製の前記可撓被覆材で、金属製の前記線材を被覆してなること、
を特徴とするリボン飾り。
【請求項３】
請求項１または請求項２に記載するリボン飾りにおいて、
装飾対象物に取付けて留めるための装着留め部材を備えていること、
を特徴とするリボン飾り。
【発明の詳細な説明】
【技術分野】
【０００１】
この発明は、例えば、主として、ファッション性を求めた被服（帽子類やパンツ類を含む）や鞄、インテリア用品への装飾、祝意を込めた贈り物への加飾のほか、ヘアピンやヘアバンドに代表される女性向けの装飾用アクセサリー等、装飾対象物に使用するリボン飾りに関する。
【背景技術】
【０００２】
リボン飾りは、多くの人に良く知られ、様々な態様のリボン飾りを目にする機会が、日常生活を通じて多々ある。リボン飾りは、例えば、発表会や集まり、コンサート、披露宴、外出先での食事会等の参加や接客に伴い、装飾アクセサリーを身にまとっておしゃれをする女性に付されるほか、商品の包装等に付される。リボン飾りを包装に付して用いる場合には、包装用リボンは、商品の入った包装紙等に、手際よく店員によって付され、包装用リボンで包装紙等を装飾した商品が店舗で販売される。このような包装用リボンの一例は、特許文献１に開示されている。
【０００３】
特許文献１は、品物を容器や包装紙で包装した上で、これら容器等に掛ける包装用リボンである。特許文献１では、細長い片からなるリボンを複数並設し、これらのリボン同士の中央部を連接すると共に、これら複数のリボンに蝶リボン部を付加するのにあたり、帯状のリボンをループ状に閉じた蝶リボン部の中心が、金属線入り帯状フィルム製の留め具を用いて留められている。特許文献１によれば、客が購入したクリスマスプレゼント等の商品に対し、店員が、商品の包装にリボン掛けのサービス（いわゆる「ラッピングサービス」）を店頭で行う場合、店員は、留め具を使用して、縦横に掛けられたリボンに蝶リボン部を取付ける。取付けられた留め具は、装飾する包装用リボンの一部となり、外部から視認できている。
【０００４】
一般的なラッピングサービスでは主に、来店した客の待ち時間をより短くして、高い精度のリボン飾りを速やかに形作ることが求められている。特許文献１の包装用リボンは、いわゆるラッピングサービスを前提にしているため、留め具がそのまま外部に露出していても、包装用リボンの体裁に大きな影響はなく、客への支障もない。
【先行技術文献】
【特許文献】
【０００５】
【特許文献１】特許第３９５２２３５号公報
【発明の概要】
【発明が解決しようとする課題】
【０００６】
しかしながら、前述したように、例えば、発表会や集まり、コンサート、披露宴、外出先での食事会等の参加や接客に伴い、装飾用アクセサリーを身にまとっておしゃれをする女性に付すリボン飾りの場合のほか、インテリア用品として、ティッシュケースやメイクブラシ立て等の日用雑貨品にリボン飾りを付す場合等には、リボン飾りは、装飾する人や物品に対し、その美しさや華麗さを演出させる役割を担うため、リボン飾りに、意匠上、美観が必要とされる。仮に、このような美観演出用のリボン飾りに、特許文献１のような金属線入り帯状フィルム製の留め具が、装飾するリボン飾りの一部となって、外部から視認できる位置に取り付いていると、意匠上、美観演出用のリボン飾り全体の美観が損なわれてしまい、付加価値が低下してしまう問題がある。
【０００７】
他方で近年、美観演出用のリボン飾りを付ける人の中には、大量生産された市販のリボン飾りを避け、オーダーメード等で製作したオリジナルのリボン飾りを身にまとう人が、年々増加する傾向にある。このような美観演出用のリボン飾りを製作するとき、帯状の材料をループ状に閉じたリボン体同士を、束ねた状態で結着する作業工程や、リボン体を、ヘアピンやゴムバンド等の装飾留め具に結着する作業工程等で、リボン体の結着に糸を用いると、リボン体を確実に結着できるが、リボン体を束ねた状態に維持したまま、結着箇所に糸を巻いて留める作業は、作業者にとって困難である。
【０００８】
本発明は、上記問題点を解決するためになされたものであり、全体の美観を損なうことなく、簡単に効率良く製作することができるリボン飾りを提供することを目的とする。
【課題を解決するための手段】
【０００９】
上記目的を達成するために、本発明に係るリボン飾りは、以下の構成を有する。
（１）帯状の材料を長手方向で折り返すことにより、ループ状に閉じた１または複数のリボン体を、結着箇所で、前記材料の厚み方向、かつ前記長手方向に直交する幅方向に重ね合わせた状態のまま、固定部材により束ねて固定されたリボン飾りにおいて、前記固定部材は、芯となる線材と、前記線材より柔軟な可撓性を有する樹脂製、またはゴム製の可撓被覆材とからなり、変形自在に形成された短冊状の結着部材であること、前記リボン体のうち、重ね合わせて束ねた状態の前記結着箇所に、前記結着部材を、当該リボン飾りの外側となる位置から掛け渡して巻いた前記結着部材の端部同士が、当該リボン飾りの内側で結束されていること、当該リボン飾りは、前記結着部材を被覆可能に形成された被覆部材を、前記結着部材で結束した前記結着箇所に接着剤で固着することにより、外部と遮断した状態で、前記結着部材を包囲してなり、前記被覆部材が、当該リボン飾りの一部をなしていること、を特徴とする。
（２）（１）に記載するリボン飾りにおいて、前記結着部材は、ビニル(vinyl)基を有する樹脂フィルム製の前記可撓被覆材で、金属製の前記線材を被覆してなること、を特徴とする。
（３）（１）または（２）に記載するリボン飾りにおいて、装飾対象物に取付けて留めるための装着留め部材を備えていること、を特徴とする。
【発明の効果】
【００１０】
上記構成を有する本発明のリボン飾りの作用・効果について説明する。
（１）帯状の材料を長手方向で折り返すことにより、ループ状に閉じた１または複数のリボン体を、結着箇所で、材料の厚み方向、かつ長手方向に直交する幅方向に重ね合わせた状態のまま、固定部材により束ねて固定されたリボン飾りにおいて、固定部材は、芯となる線材と、線材より柔軟な可撓性を有する樹脂製、またはゴム製の可撓被覆材とからなり、変形自在に形成された短冊状の結着部材であること、リボン体のうち、重ね合わせて束ねた状態の結着箇所に、結着部材を、当該リボン飾りの外側となる位置から掛け渡して巻いた結着部材の端部同士が、当該リボン飾りの内側で結束されていること、当該リボン飾りは、結着部材を被覆可能に形成された被覆部材を、結着部材で結束した結着箇所に接着剤で固着することにより、外部と遮断した状態で、結着部材を包囲してなり、被覆部材が、当該リボン飾りの一部をなしていること、を特徴とする。この特徴により、リボン体同士を束ねた状態で結着する場合や、結着箇所で重ね合わせて束ねた状態のリボン体に、それに付随する他の部材や、ヘアゴム、留め金具、ヘアピン等の装着留め部材を、一つにまとめて束ねた状態で結着する場合に、その結着作業が、結着箇所に糸を巻いて留める従来技術に比べ、効率良く簡単にでき、作業時間も短縮化できる。また、被覆部材が、外部と遮断した状態で、結着部材で結束した結着箇所全体を包囲しているため、結着部材は、外部から視認できず、美観演出用として、意匠上、本発明のリボン飾り全体の美観が損なわれることもなく、本発明のリボン飾りの付加価値は維持できている。
【００１１】
従って、本発明に係るリボン飾りによれば、全体の美観を損なうことなく、簡単に効率良く製作することができる、という優れた効果を奏する。
【００１２】
（２）に記載するリボン飾りにおいて、結着部材は、ビニル(vinyl)基を有する樹脂フィルム製の可撓被覆材で、金属製の線材を被覆してなること、を特徴とする。この特徴により、作業者は、本発明のリボン飾りの製作過程で、リボン体の結着箇所に対し、重ね合わせて束ねる作業を片手で行いながら、反対の手で、重ね合わせて束ねた状態の結着箇所に結着部材を掛け渡して巻き、結着部材の端部同士を結束する作業を同時に、効率良くかつ確実に行うことができる。
【００１３】
（３）に記載するリボン飾りにおいて、装飾対象物に取付けて留めるための装着留め部材を備えていること、を特徴とする。この特徴により、例えば、発表会や集まり、コンサート、披露宴、外出先での食事会等の参加や接客に伴い、装飾アクセサリーを身にまとっておしゃれをする機会をはじめ、種々の正装の場では、装飾対象物として、被服（帽子類やパンツ類を含む）や髪に、本発明のリボン飾りを飾った人や、本発明のリボン飾りを装飾した鞄等を手にする人は、美しく映え、気品に満ちた様相を呈するようになる。また、本発明のリボン飾りは、例えば、ティッシュケースやメイクブラシ立て等の日用雑貨品への加飾により、インテリア用品としての装飾、祝意を込めた贈り物への加飾のほか、ヘアピンやヘアバンドに代表される女性向けの装飾用アクセサリー等を対象とした美観演出用のリボン飾りとなる。そのため、本発明のリボン飾りは、装飾する人や物品に対し、その美しさや華麗さを、上品に演出して醸し出すことができる。
【図面の簡単な説明】
【００１４】
【図１】実施形態の第１実施例に係るリボン飾りを示す斜視図である。
【図２】実施形態に係るリボン飾りに用いる材料を示す斜視図である。
【図３】実施形態に係るリボン飾りに用いる結着部材を示す図であり、（ａ）は平面図、（ｂ）は側面図である。
【図４】第１実施例に係るリボン飾りを製作する第１工程図である。
【図５】図４中、Ａ−Ａ矢視断面で示した説明図であり、（ａ）は結着箇所を結着部材で留める前の状態を示す第２工程図、（ｂ）は結着箇所を結着部材で留めた後の状態を示す第３工程図である。
【図６】図５に続き、第４工程図である。
【図７】第２実施例に係るリボン飾りを示す斜視図である。
【図８】第３実施例に係るリボン飾りを示す平面図である。
【図９】第４実施例に係るリボン飾りを示す平面図である。
【図１０】第５実施例に係るリボン飾りを示す斜視図である。
【図１１】実施形態に係るリボン飾りに付したバッチ内の標章を例示した図である。
【発明を実施するための形態】
【００１５】
以下、本発明に係るリボン飾りについて、実施形態（第１実施例〜第５実施例）を図面に基づいて詳細に説明する。本発明に係るリボン飾りは、主として、ファッション性を求めた被服（帽子類やパンツ類を含む）、鞄、インテリア用品への装飾、祝意を込めた贈り物への加飾のほか、ヘアピンやヘアバンドに代表される女性向けの装飾用アクセサリー等、装飾対象物に使用される。インテリア用品には、例えば、ウエットティッシュケース、小物収納ボックス、リボンバッグ、ペン立て・メイクブラシ立て・ハサミ立て等のスタンドのほか、バレッタ・ピン・カチューシャ等も目に入る位置に配置して保持できるヘアアクセサリーホルダー等が挙げられる。
【００１６】
本発明に係るリボン飾りについて、本実施形態では、第１実施例〜第５実施例を挙げて説明するが、説明の便宜上、第１実施例に係るリボン飾りを代表して詳述し、第２実施例〜第５実施例に係るリボン飾りについては、第１実施例と異なる点だけを挙げて、簡単に説明する。
【００１７】
（第１実施例）
図１は、実施形態の第１実施例に係るリボン飾りを示す斜視図である。図２は、実施形態に係るリボン飾りに用いる材料を示す斜視図である。図３は、実施形態に係るリボン飾りに用いる結着部材を示す図であり、（ａ）は平面図、（ｂ）は側面図である。なお、図２において、左下−右上方向を材料２の長手方向Ｌ、上下方向を材料２の厚み方向Ｔ、左上−右下方向を、材料２の幅方向Ｗとする。また、図２以外の各図面で、材料２の長手方向、材料２の厚み方向、及び材料２の幅方向の記載は、図２に定義した方向に準じる。
【００１８】
第１実施例〜第５実施例とも、本実施形態に係るリボン飾り１（１Ａ，１Ｂ，１Ｃ，１Ｄ，１Ｅ）は、帯状の材料２を長手方向Ｌで折り返すことにより、ループ状に閉じた１または複数のリボン体１０を、結着箇所１１で、材料２の厚み方向Ｔ、かつ長手方向Ｌに直交する幅方向Ｗに重ね合わせた状態のまま、結着部材５０（図４参照）により束ねて固定されている。材料２は、例えば、本繻子、タフタ、ベルベット、グログラン等の素材からなり、図２に示すように、長手方向Ｌに平たく延びた帯状の織物である。この材料２は、形成するリボン体１０の大きさに応じた長さになっている。
【００１９】
結着部材５０は、芯となる線材５１と、本実施形態では、線材５１より柔軟な可撓性を有する樹脂製の可撓被覆材５２とからなり、変形自在に形成された短冊状の部材である。具体的には、図３に示すように、結着部材５０は、鉄芯等の金属製の線材５１を、ビニル(vinyl)基を有する樹脂フィルム製の可撓被覆材５２で被覆した部材であり、例えば、登録商標「ビニタイ」の商品に相当する市販品の結束部材である。結着部材５０の長さは、約５ｃｍ前後である。
【００２０】
図１に示すように、第１実施例に係るリボン飾り１Ａは、１つのリボン体１０を、結着箇所１１で、材料２の厚み方向Ｔ、かつ長手方向Ｌに直交する幅方向Ｗに重ね合わせた状態のまま、結着部材５０（図４参照）により束ねて固定されている。リボン飾り１Ａは、結着部材５０を被覆可能に形成された被覆部材２０と、例えば、帽子類やパンツ類を含む被服、鞄、インテリア用品、髪等の装飾対象物に取付けて留めるための装着留め部材３０の一種として、ヘアゴム３１（ゴム輪）を備えている。被覆部材２０は、リボン体１０の結着箇所１１に巻かれるバンドであり、当該リボン飾り１Ａを構成する一部となっている。
【００２１】
次に、リボン飾り１Ａの製作方法について、図４〜図６を用いて説明する。図４は、第１実施例に係るリボン飾りを製作する第１工程図である。図５は、図４中、Ａ−Ａ矢視断面で示した説明図であり、（ａ）は結着箇所を結着部材で留める前の状態を示す第２工程図、（ｂ）は結着箇所を結着部材で結束部を留めた後の状態を示す第３工程図である。図６は、図５に続き、第４工程図である。
【００２２】
はじめに、リボン体１０の周長に対応した長さの材料２に対し、長手方向両端を繋ぎ、ループ状に閉じたリボン体１０を１組準備しておく。また、結着部材５０を１本準備する。このとき、市販されている結着部材５０の長さが長く、結束後に端部５３Ａ側と端部５３Ｂ側で余剰部が大きく生じる場合には、結束前に結着部材５０をハサミで切断して、必要に応じた長さに調整しておく。
【００２３】
次に、第１工程では、図４に示すように、リボン体１０のうちの中央部だけを、材料２の幅方向に２本の指で把持して、山折りと谷折りを互い違いに３箇所で折り返して重ね合わされた状態の結着箇所１１を形成する。次に、第２工程では、図５（ａ）に示すように、リボン体１０のうち、重ね合わせて束ねた状態の結着箇所１１に、結着部材５０が、当該リボン飾り１Ａの外側ＯＵＴとなる位置から掛け渡される。このとき、リボン体１０の結着箇所１１において、当該リボン飾り１Ａの内側ＩＮで開放する間隙部１２が、２つ形成されるため、何れか片方の間隙部１２にヘアゴム３１の一部を挟み込んでおく。
【００２４】
次に、第３工程では、図５（ｂ）に示すように、結着箇所１１の間隙部１２にヘアゴム３１を挟み込んだ状態で、巻いた結着部材５０の端部５３Ａ、５３Ｂ同士を、当該リボン飾り１Ａ（１）の内側ＩＮで結束する。結着部材５０の結束では、ヘアゴム３１を、リボン体１０の結着箇所１１でしっかりと保持できると共に、リボン体１０に、柔らかな曲線で膨らませて意匠上の美観を演出できる程度に、結着箇所１１の周りを結着部材５０で締め付ける。結束後、端部５３Ａ側と端部５３Ｂ側の余剰部を、より小さくして横に寝かせておく。
【００２５】
なお、本第１実施例では、ヘアゴム３１の一部を、結着箇所１１の間隙部１２に挟み込んで、巻いた結着部材５０の端部５３Ａ、５３Ｂ同士を、当該リボン飾り１Ａの内側ＩＮで結束したが、結着箇所１１におけるヘアゴム３１の留め方は、第１実施例に限定されるものではない。例えば、結着箇所１１の間隙部１２に、ヘアゴム３１の一部を挟み込まず、巻いた結着部材５０の端部５３Ａ、５３Ｂ同士を、当該リボン飾り１Ａの内側ＩＮで結束した後、端部５３Ａ側と端部５３Ｂ側の余剰部でヘアゴム３１の一部を留めて結着することにより、ヘアゴム３１が保持されても良い。
【００２６】
次に、第４工程では、図６に示すように、重ね合わせて束ねた状態の結着箇所１１を、結着部材５０で固定した結束部１３に、接着剤を塗布することにより、接着部１４を形成する。次いで、被覆部材２０を、接着部１４に沿って巻き付けて固着することにより、被覆部材２０が、外部と遮断した状態で、結着部材５０を完全に包囲して装着される。かくして、図１に示すように、リボン飾り１Ａが完成する。
【００２７】
（第２実施例）
次に、実施形態の第２実施例に係るリボン飾り１（１Ｂ）に、図７を用いて説明する。図７は、第２実施例に係るリボン飾りを示す斜視図である。図７に示すように、リボン飾り１Ｂは、１つのリボン体１０と、平坦状のリボン体ベース１５と、装着留め部材３０とを有している。装着留め部材３０は、本第２実施例では、ピンや、バレッタ等に用いられている金属製の留め金具３２である。リボン体１０は、リボン体ベース１５上に配置され、留め金具３２は、リボン体ベース１５の下に配置されている。リボン体ベース１５には、図１１に示すような標章６１を表示したバッチ６０が付されている。なお、標章６１の表示内容は、あくまでも一例に過ぎず、バッチ６０の標章は、図１１に限るものではなく、種々変更可能である。
【００２８】
リボン飾り１Ｂでは、第１実施例と同様、リボン体１０のうちの中央部だけを、材料２の幅方向に２本の指で把持して、山折りと谷折りを互い違いに３箇所で折り返して重ね合わされた状態の結着箇所１１を形成する。次いで、リボン体１０のうち、重ね合わせて束ねた状態の結着箇所１１と、リボン体ベース１５と、留め金具３２の固定部とに、結着部材５０を、当該リボン飾り１Ａの外側ＯＵＴとなる位置から掛け渡し、この結着部材５０の端部５３Ａ、５３Ｂ同士が、当該リボン飾り１Ｂの内側（図７中、紙面裏側）で結束されている。結束部１３には、被覆部材２０が巻かれている。
【００２９】
（第３実施例）
次に、実施形態の第３実施例に係るリボン飾り１（１Ｃ）に、図８を用いて説明する。図８は、第３実施例に係るリボン飾りを示す平面図である。図８に示すように、リボン飾り１Ｃは、第１実施例のヘアゴム３１を有していないリボン飾りであり、バッチ６０をリボン体１０に付している。
【００３０】
（第４実施例）
次に、実施形態の第４実施例に係るリボン飾り１（１Ｄ）に、図９を用いて説明する。図９は、第４実施例に係るリボン飾りを示す平面図である。図９に示すように、リボン飾り１Ｄは、リボン体１０を２つ有し、リボン飾り１Ｃと同様、バッチ６０を一方のリボン体１０に付している。
【００３１】
（第５実施例）
次に、実施形態の第５実施例に係るリボン飾り１（１Ｅ）に、図１０を用いて説明する。図１０は、第５実施例に係るリボン飾りを示す斜視図である。図１０に示すように、リボン飾り１Ｅは、リボン体１０を４つ有し、リボン飾り１Ｃと同様、バッチ６０を一のリボン体１０に付している。
【００３２】
以上、本実施形態に係るリボン飾り１の作用・効果について説明する。本実施形態に係るリボン飾り１では、帯状の材料２を長手方向Ｌで折り返すことにより、ループ状に閉じた１または複数のリボン体１０を、結着箇所１１で、材料２の厚み方向Ｔ、かつ長手方向Ｌに直交する幅方向Ｗに重ね合わせた状態のまま、固定部材により束ねて固定されたリボン飾りにおいて、固定部材は、芯となる線材５１と、線材５１より柔軟な可撓性を有する樹脂製の可撓被覆材５２とからなり、変形自在に形成された短冊状の結着部材５０であること、リボン体１０のうち、重ね合わせて束ねた状態の結着箇所１１に、結着部材５０を、当該リボン飾り１の外側ＯＵＴとなる位置から掛け渡して巻いた結着部材５０の端部５３Ａ，５３Ｂ同士が、当該リボン飾り１の内側ＩＮで結束されていること、当該リボン飾り１は、結着部材５０を被覆可能に形成された被覆部材２０を、結着部材５０で結束した結着箇所１１に、接着材を塗布した接着部１４で固着することにより、外部と遮断した状態で、結着部材５０を包囲してなり、被覆部材２０が、当該リボン飾り１の一部をなしていること、を特徴とする。この特徴により、リボン体１０同士を束ねた状態で結着する場合や、結着箇所１１で重ね合わせて束ねた状態のリボン体１０に、それに付随するリボン体ベース１５等の別部材や、ヘアゴム３１、留め金具３２、ヘアピン等の装着留め部材３０を、一つにまとめて束ねた状態で結着する場合に、その結着作業が、結着箇所に糸を巻いて留める従来技術に比べ、効率良く簡単にでき、作業時間も短縮化できる。また、被覆部材２０が、外部と遮断した状態で、結着部材５０を含む結束部１３全体を包囲しているため、結着部材５０は、外部から視認できず、美観演出用として、意匠上、リボン飾り１全体の美観が損なわれることもなく、リボン飾り１の付加価値は維持できている。
【００３３】
従って、本実施形態のリボン飾り１によれば、全体の美観を損なうことなく、簡単に効率良く製作することができる、という優れた効果を奏する。
【００３４】
また、本実施形態に係るリボン飾り１によれば、結着部材５０は、ビニル(vinyl)基を有する樹脂フィルム製の可撓被覆材５２で、金属製の線材５１を被覆してなること、を特徴とする。この特徴により、作業者は、リボン飾り１の製作過程で、リボン体１０の結着箇所１１に対し、重ね合わせて束ねる作業を片手で行いながら、反対の手で、重ね合わせて束ねた状態の結着箇所１１に結着部材５０を掛け渡して巻き、端部５３Ａ、５３Ｂ同士を結束する作業を、同時に効率良くかつ確実に行うことができる。また、結着部材５０は、市場に幅広く流通する市販品を使用することができるため、入手し易く安価である。
【００３５】
また、本実施形態に係るリボン飾り１によれば、装飾対象物に取付けて留めるための装着留め部材３０を備えていること、を特徴とする。この特徴により、例えば、発表会や集まり、コンサート、披露宴、外出先での食事会等の参加や接客に伴い、装飾アクセサリーを身にまとっておしゃれをする機会をはじめ、種々の正装の場では、装飾対象物として、被服（帽子類やパンツ類を含む）や髪にリボン飾り１を飾った人や、リボン飾り１を装飾した鞄等を手にする人は、美しく映え、気品に満ちた様相を呈するようになる。また、リボン飾り１は、例えば、ティッシュケースやメイクブラシ立て等の日用雑貨品への加飾により、インテリア用品としての装飾、祝意を込めた贈り物への加飾のほか、ヘアピンやヘアバンドに代表される女性向けの装飾用アクセサリー等を対象とした美観演出用のリボン飾りとなる。そのため、リボン飾り１は、装飾する人や物品に対し、その美しさや華麗さを、上品に演出して醸し出すことができる。
【００３６】
以上において、本発明を実施形態の第１実施例〜第５実施例に即して説明したが、本発明は上記実施形態の第１実施例〜第５実施例に限定されるものではなく、その要旨を逸脱しない範囲で、適宜変更して適用できる。
（１）例えば、実施形態では、結着部材５０を、鉄芯等の金属製の線材５１を、ビニル(vinyl)基を有する樹脂フィルム製の可撓被覆材５２で被覆した部材で、例えば、登録商標「ビニタイ」の商品に相当する市販品の結束部材とした。しかしながら、結着部材は、芯となる線材と、線材より柔軟な可撓性を有する樹脂製、またはゴム製の可撓被覆材とからなり、変形自在に形成された短冊状であれば、結束部材の構成や材質は、何でも良い。
【００３７】
（２）また、実施形態では、リボン飾り１のデザインを、図１、図７、及び図８〜図１０に例示したが、本発明に係るリボン飾りのデザインは、第１実施例〜第５実施例に限定されるものではなく、以下の条件を満たすものであれば、何でも良い。その条件は、「固定部材は、芯となる線材と、前記線材より柔軟な可撓性を有する樹脂製、またはゴム製の可撓被覆材とからなり、変形自在に形成された短冊状の結着部材であること、前記リボン体のうち、重ね合わせて束ねた状態の前記結着箇所に、前記結着部材を、当該リボン飾りの外側となる位置から掛け渡して巻いた前記結着部材の端部同士が、当該リボン飾りの内側で結束されていること、当該リボン飾りは、前記結着部材を被覆可能に形成された被覆部材を、前記結着部材で結束した前記結着箇所に接着剤で固着することにより、外部と遮断した状態で、前記結着部材を包囲してなり、前記被覆部材が、当該リボン飾りの一部をなしていること」である。
【００３８】
（３）また、実施形態の第１実施例〜第５実施例では、結着箇所１１において、リボン体１０のうちの中央部だけを、材料２の幅方向に２本の指で把持して、山折りと谷折りを互い違いに３箇所で折り返して重ね合わされたリボン飾り１（１Ａ，１Ｂ，１Ｃ，１Ｄ，１Ｅ）を、例示して挙げた。しかしながら、結着箇所における材料の折り方は、実施形態に限定したものではなく、種々変更可能である。例えば、材料の幅方向の両端を谷折りとして、山折りと谷折りを交互に複数採り入れた折り方や、幅方向の片側を谷折りに、その反対側を山折りとする折り方等、結着箇所が、材料をその幅方向に折ることにより、折り返して重ね合わせることで束ねた状態になっていれば良い。
【符号の説明】
【００３９】
１，１Ａ，１Ｂ，１Ｃ，１Ｄ，１Ｅ  リボン飾り
２  材料
１０  リボン体
１１  結着箇所
２０  被覆部材
３０  装着留め部材
５０  結着部材
５１  線材
５２  可撓被覆材
５３Ａ，５３Ｂ  端部
Ｌ  長手方向
Ｔ  厚み方向
Ｗ  幅方向
ＩＮ  内側
ＯＵＴ  外側
【図１】
2019044310.tif 000003
【図２】
2019044310.tif 000004
【図３】
2019044310.tif 000005
【図４】
2019044310.tif 000006
【図５】
2019044310.tif 000007
【図６】
2019044310.tif 000008
【図７】
2019044310.tif 000009
【図８】
2019044310.tif 000010
【図９】
2019044310.tif 000011
【図１０】
2019044310.tif 000012
【図１１】
2019044310.tif 000013